(57)【要約】      （修正有）【課題】燃料電池セルの、カソード側からの排気ガスを分離した、不活性ガスの窒素、アルゴンを含む混合ガスを、水素ガスボンベ、その他ガス、のバリアーガスとして活用する防爆、防錆の安全面と酸化防止を向上させた燃料電池システムの排気流体活用装置を提供する。【解決手段】燃料電池セルの空気側カソードの自然排気ガスを窒素ガス、アルゴンガスを含む混合ガスに分離する中空糸膜式分離装置６と、混合ガスを回収する回収装置７と、混合ガスを燃料電池セルの水素ガスボンベヘッド付近に吹きつける供給装置と、を備える。【選択図】図２
0003221689.tif 000002
【実用新案登録請求の範囲】
【請求項１】
燃料電池セルの空気側カソードの自然排気ガスを窒素ガス、アルゴンガスを含む混合ガスに分離する中空糸膜式分離装置と、前記混合ガスを回収する回収装置と、前記混合ガスを燃料電池セルの水素ガスボンベヘッド付近に吹きつける供給装置と、を備える燃料電池システムの排気流体の活用装置。
【請求項２】
燃料電池セルの空気側カソードの自然排気ガスを窒素ガス、アルゴンガスを含む混合ガスに分離する中空糸膜式分離装置と、前記混合ガスを回収する回収装置と、前記混合ガスを吐出する吐出装置と、前記混合ガスを一部使用し残りの前記混合ガスを前記回収装置に戻して循環させる循環装置と、を備える燃料電池システムの排気流体の活用装置。
【請求項３】
前記混合ガスを圧力ガスとするための圧力装置、を備える請求項２の燃料電池システムの排気流体の活用装置。
【考案の詳細な説明】
【技術分野】
【０００１】
本考案は、燃料電池システムの排気流体を活用する装置に関するものである。
【背景技術】
【０００２】
従来の一般的な、燃料電池は、カソード側に空気を、吸入し、酸素イオンを取り、残りの気体を排ガスとして、排出していた。しかしながら空気中の成分は、窒素ガス、酸素ガス、アルゴンガス（3つの産業ガス）に分解されているが、酸素を取った残りのガスを回収することが困難であった。そして誰もが大気、空気、カソード側の酸素ガスを気にしなかつたし、着目していなかった。誰もが考えていなかつたこの酸素ガス、窒素ガス、アルゴンガス、も無尽蔵にあるわけでなく有限で、水素ガス、のように無限ではない。そのため、排気ガスを捨てずに回収すると共に、この混合ガスを広い範囲に使う、供給装置の考案である。
【０００３】
また、アノード側燃料に送る、水素ガス、水素ボンベを、定位置管理棟に置くには、他との接触面積を十分に確保する必要があり、とくに静電気対策２ｋｖ放電エネルギーは０，２ｍｊとなるなど、錆など個体粉末をともなう静電気スパーク発火災の危険性が大きいことが危惧される為、防爆、防錆、の安全性をクリアーすることが求められている。
【先行技術文献】
【特許文献】
【０００４】
【特許文献１】特開２０１８−１９８１８２号公報
【特許文献２】特開平９−４９６６１号公報
【非特許文献】
【０００５】
【非特許文献１】危険物取扱者乙４甲種、テキスト。窒息消火、抑制消火。
【考案の概要】
【考案が解決しようとする課題】
【０００６】
本考案の目的は、燃料電池セルの、空気側、カソード、を通過した残りのガス、窒素ガス、アルゴンガス等の混合ガスを従来の構成で廃棄していたのを有効に活用することにある。
【０００７】
この排気ガス（窒素９０％、アルゴンガス１０％）を含む混合、不活性ガスを水素ガスボンベ置き場の防爆、防錆、防火、または食品の鮮度保持、賞味期限の延長するための窒素バリヤーガスに使うことを目的とする。
【課題を解決するための手段】
【０００８】
すなわち、本考案の第１は、燃料電池セルの空気側カソードの自然排気ガスを窒素ガス、アルゴンガスを含む混合ガスに分離する中空糸膜式分離装置と、前記混合ガスを回収する回収装置と、前記混合ガスを燃料電池セルの水素ガスボンベヘッド付近に吹きつける供給装置と、を備える燃料電池システムの排気流体の活用装置である。このような構成にすることによって、定置外側水素ガス部屋、及び、船舶の燃料部屋の、水素ガスボンベの取り付け、シリンダー付近に、燃料電池セルの排出口からの、排ガス、（窒素、９０％、アルゴン１０％）、を含む混合ガスを水素ガスボンベの上から、バリヤーガスとして、自然排気ガスを弱く吹きかけつずけることができ、水素ガスボンベの、ヘッド付近の酸素を除去し、酸素を4％以下にでき、防爆、防錆、を防ぐことができる。
【０００９】
本考案の第２は、燃料電池セルの空気側カソードの自然排気ガスを窒素ガス、アルゴンガスを含む混合ガスに分離する中空糸膜式分離装置と、前記混合ガスを回収する回収装置と、前記混合ガスを吐出する吐出装置と、前記混合ガスを一部使用し残りの前記混合ガスを前記回収装置に戻して循環させる循環装置と、を備える燃料電池システムの排気流体の活用装置である。このような構成にすることによって、この窒素ガスを一度タンク内にため、ポンプにより気体を低圧縮にて均一な雰囲気ガスを、生鮮食品のパックずめの窒素ガス、又は、加工用食品貯蔵のバリヤーガスにつかい、残りの窒素ガスは一度タンク内に戻して、新たに吸入する窒素ガス、と合流しつつポンプで循環する（図２に示す）とすることができる。
【００１０】
本考案の第３は、前記混合ガスを圧力ガスとするための圧力装置、を備える本考案の２の燃料電池システムの排気流体の活用装置である。このような構成にすることによって、送風通路を１０〜２０メータ延長することもでき、コンプレッサーにつないで産業用の圧力、窒素、アルゴンを含むガス、船舶のバージ、吹付塗装、粉体塗装、タイヤの圧力ガス、マテリアル、ケミカルなどに酸素を除去した残りの混合ガスで、利用分野が広く、使用できる。（図４に示す）
【考案の効果】
【００１１】
本考案の排気流体の活用装置、は、水素ガスボンベを建屋または（船舶燃料部屋）外付け設置しているボンベ付近の、酸素を除去するバリヤー雰囲気ガスを吹きかけ続けることができることで、防爆、防錆を防ぐ効果が得られる。また、食品加工の品質管理、賞味期限延長、そして、酸素を除去した残りの混合ガスを回収しコンプレッサーを通し、圧縮ガスにした混合ガスを、船舶のコンテナ、船舶用のバージガス、粉体塗装、吹付塗装品の防錆、など、排気ガスを、損ねることなく使う利点、効果が得られる。
【図面の簡単な説明】
【００１２】
【図１】図１は排気流体の供給装置の実施方法を示した立面図である。（実施例１）
【図２】図２は拝気流体の供給装置の実施方法を示した立面図である。（実施例２）
【図３】図３は供給装置の実施方法を示した立面図である。  （実施例２）
【図４】図４は拝気流体の供給装置の実施方法を示した立面図である。（実施例２）
【考案を実施するための形態】
【００１３】
図１、２は、本考案の燃料電池セルの排ガス気体の活用装置の基本構成を示す。すなわち、排気の活用装置は、燃料電池セル、空気側からファンによって、スタック、カソード側で酸素イオンと水素イオンの酸化還元反応により、水の生成、電子をとるといわれている。その後、酸素を取った残りの気体を排気せず中空糸膜、フイルターを通して、窒素、アルゴン含む混合ガスを、回収装置を通して一つは水素ガスボンベ側に送ります（図１及び図２）。もう一つは、一旦、気体貯蔵タンクにためる形成にしている、この気体を損なわずに供給、又はポンプで、送ることを実現した（図２及び図３）。
【実施例１】
【００１４】
図１は本考案装置の１実施例の平面図である。また、逆三角形じょうごカバーの取付位置、は現場により異なるため、ボンベの横置き、縦置き状態により調整している。窒素９０％、アルゴン１０％混合ガスをボンベ上部から広い範囲にガスを、吹きかけ続けている。電子、機構系の説明は省略する。
【実施例２】
【００１５】
図２、図３は本考案装置の１実施例の平面図で、窒素ガスを食品加工において、ポンプを作動させ、少量、一定量の雰囲気ガスを食品容器に入れることができ、商品の日保ちに役立つ。図４に示すように、さらに排気バブルキャップから、コンプレッサーなどに供給することもでき、圧力ガスをエアーガンを使い、塗装吹付、タイヤ圧力、レーザー切断、スポット溶接など各用途に活用する。コンプレッサーは各用途に合うものであれば良いので、構成的なことは省略する。
【産業上の利用可能性】
【００１６】
本考案においては、燃料電池セルのカソード側からの排ガス、窒素、アルゴンを含む混合ガスを船舶の、コンテナー内の食品保存、タンク内の洗浄時のパージガス及び、水素ガスボンベ置き場の防爆、防錆、消火のバリヤーガス、又は食品加工、保存、品質を持続させることができる。酸素を除去した残りの混合ガスで、コンプレッサー圧力機に適用することができる。
【符号の説明】
【００１７】
１    逆三角形  じょうごカバー          ９  送風通路
２    供給装置（塩ビパイプ）            １０  逆止弁  
３    窒素ガス                            １１  圧力装置（コンプレッサ）
４    水素ガスボンベ                    １２  開閉コック
５    ガス本管                            １３  循環装置（排気枝管）
6    中空糸膜式分離装置              １４  T字形継手
７    回収装置（タンク）                  １５  パッキン接合材
８    吐出装置（ポンプ、フィルタ交換膜）
【図１】
0003221689.tif 000003
【図２】
0003221689.tif 000004
【図３】
0003221689.tif 000005
【図４】
0003221689.tif 000006